(57)【要約】      （修正有）【課題】容易かつ低コストに、紡績コップの製造中に、リング精紡機の多数の紡績ユニットの正常な動作を監視することを可能にする方法を提供する。【解決手段】紡績コップ１３の走行している糸５６は、糸張力センサ６７として形成されているセンサ機器によってスキャンされ、糸張力センサによって求められた糸張力データは、処理のために、該当する巻取りユニットの巻取りユニット計算機５４に転送され、ここで、所定の境界値を上回っており、固く巻かれた紡績コップを示唆している糸張力データは、問題を有していると解釈され、その場合、この糸張力データが、該当する紡績コップを製造した、リング精紡機の紡績ユニットに対応付けされる、リング精紡機の紡績ユニットの正常な動作を監視する方法。【選択図】図４
2017226949.tif 000002
【特許請求の範囲】
【請求項１】
紡績コップ（１３）の製造中に、リング精紡機（１）の多数の紡績ユニット（８）の正常な動作を監視する方法であって、
紡績コップ（１３）と、当該紡績コップ（１３）を製造した、リング精紡機（１）の紡績ユニット（８）との対応付けが常に可能である、前記紡績コップ（１３）の特徴付けを可能にする機器（２５）と、
後置接続された自動綾巻きワインダ（２）の巻取りユニット（１６）に配置されており、後続の巻き返しプロセスの間に、前記紡績コップ（１３）の糸（５６）を常に監視するセンサ機器とによって行われる方法において、
前記紡績コップ（１３）の走行している糸（５６）は、糸張力センサ（６７）として形成されているセンサ機器によってスキャンされ、
前記糸張力センサ（６７）によって求められた糸張力データは、処理のために、該当する前記巻取りユニット（１６）の巻取りユニット計算機（５４）に転送され、
所定の境界値を上回っており、紡績コップ（１３）が固く巻かれていることを示唆している糸張力データは、問題を有していると解釈され、
その場合、当該糸張力データが、該当する前記紡績コップ（１３）を作成した、前記リング精紡機（１）の前記紡績ユニット（８）に対応付けされる、
ことを特徴とする、紡績コップ（１３）の製造中に、リング精紡機（１）の多数の紡績ユニット（８）の正常な動作を監視する方法。
【請求項２】
前記紡績コップ（１３）の前記糸張力データから、前記紡績コップ（１３）を製造した、前記リング精紡機（１）の前記紡績ユニット（８）の状態が推測される、請求項１に記載の方法。
【請求項３】
該当する前記紡績コップ（１３）を製造した、前記リング精紡機（１）の前記紡績ユニット（８）のリングトラベラ（３９）が例えば比較的高い摩耗を有しているために、当該紡績ユニット（８）が価値の低い紡績コップ（１３）を製造しようとするところであり、従って新しいリングトラベラ（３９）と交換されるべきである、ということの兆候として、高い糸張力の存在が評価される、請求項１又は２に記載の方法。
【請求項４】
請求項１に記載の方法を実施する装置であって、
紡績コップ（１３）と、当該紡績コップ（１３）を製造した、リング精紡機（１）の紡績ユニット（８）との対応付けが常に可能である、紡績コップ（１３）の特徴付けを可能にする機器（２５）と、
後置接続された自動綾巻きワインダ（２）の巻取りユニット（１６）に配置されており、後続の巻き返しプロセスの間に、前記紡績コップ（１３）の走行している糸（５６）を常に監視するセンサ機器と、
を備えており、
前記紡績コップ（１３）の走行している糸（５６）を監視する前記センサ機器は、糸張力センサ（６７）として形成されており、かつ、該当する前記巻取りユニット（１６）の巻取りユニット計算機（５４）に接続されており、
前記巻取りユニット計算機（５４）は、前記糸張力センサ（６７）によって求められた糸張力データが、該当する前記紡績コップ（１３）を作成した、リング精紡機（１）の紡績ユニット（８）に対応付け可能であるように構成されている、
ことを特徴とする、請求項１に記載の方法を実施する装置。
【請求項５】
前記巻取りユニット計算機（５４）は、前記自動綾巻きワインダ（２）の中央制御ユニット（５５）に接続されており、当該中央制御ユニット（５５）は、それ自体、前記リング精紡機（１）の中央制御機器（１７）と接続されている、請求項４に記載の装置。
【請求項６】
前記リング精紡機（１）の前記中央制御機器（１７）は、表示機器（３２）を備えており、当該表示機器（３２）には、自身の正常な動作モードを喪失しようとするところである紡績ユニット（８）が表示される、請求項４又は５に記載の装置。
【請求項７】
自身のリングトラベラ（３９）が、当該リングトラベラ（３９）の近々の交換を促す摩耗状態を有している紡績ユニット（８）が表示されるように前記表示機器（３２）が構成されている、請求項６に記載の装置。
【発明の詳細な説明】
【技術分野】
【０００１】
本発明は、紡績コップの製造中に、リング精紡機の多数の紡績ユニットの正常な動作を監視する方法又は装置に関する。ここで、これは、紡績コップと、この紡績コップを製造した、リング精紡機の紡績ユニットとの対応付けが常に可能である、紡績コップの特徴付けを可能にする機器、及び、後置接続された自動綾巻きワインダの巻取りユニットに配置されているセンサ機器によって行われる。ここで、このセンサ機器は、後続の巻き返しプロセスの間、紡績コップの糸を常に監視する。
【背景技術】
【０００２】
リング精紡機の紡績ユニットで、紡績コップの製造時には、紡績コップへの糸の巻き付けのごく近傍でようやく、糸が完成することが知られている。従って、このような紡績ユニットでは、糸の直接的な質のコントロールはほぼ不可能である。すなわち、既知のリング精紡機では、紡績コップの製造時に、個々の紡績ユニットにおいて紡績コップの製造中に生じる糸切断を計数することしかできない。ここで、この糸切断の原因、例えば、供給材料の不足又は紡績スピンドルの欠陥は、いつも明確に識別されるわけではない。
【０００３】
従って、リング精紡機の紡績ユニットでは、紡績ユニットが、動作に欠陥がある紡績スピンドルを有しているのにも拘わらず、操作員にこのことが気付かれずに、往々にして、比較的長い期間にわたって、価値の低い紡績コップを製造してしまう、という虞が常に生じている。なぜなら、紡績ユニットでは、それほど多くの糸切断が発生しないからである。
【０００４】
このようなケースでは通常、紡績コップから繰り出された糸が、綾巻きパッケージへ巻き取られる前にセンサによってスキャンされ、ここで、例えば、糸の質に関して検査がされる場合、作成された紡績コップの価値の低さが、後置接続された自動綾巻きワインダの１つの巻取りユニットへの紡績コップの巻き返し時に初めて発見される。
【０００５】
公知の自動綾巻きワインダはこのために、自身の巻取りユニットの領域において、それぞれ、種々の機器を備えており、これらの機器によって、巻き返しプロセスの間に継続的に紡績コップから引き出される糸が監視可能である。このような巻取りユニットは、例えば、いわゆる糸クリアラを有している。この糸クリアラは、走行している糸を、糸の欠陥、例えば、太い箇所、細い箇所又は二重糸に関して検査し、このような深刻な糸欠陥が切断して除去されるようにする。
【０００６】
このような糸クリアラの使用によって、欠陥を有する紡績コップが綾巻きパッケージに巻き返されることが阻止されるが、前置接続されたリング精紡機のどの紡績ユニットで、欠陥を有する紡績コップが製造されたのかを追跡することは往々にして、できなかった。
【０００７】
従って、このような、動作に欠陥を有する紡績ユニットを識別するために、既に、種々の方法が開発されてきた。
【０００８】
独国特許出願公開第３７１２６５４号明細書（ＤＥ３７１２６５４Ａ１）では、例えば、紡績機／巻取り機の組み合わせと関連して、リング精紡機の紡績ユニット上で製造された紡績コップが、自身の紡績ユニット位置に関連した順番で、まずは、リング精紡機と自動綾巻きワインダとの間に配置されている測定、計数及び分類装置に供給される方法が記載されている。次にこのような測定、計数及び分類装置において、紡績コップがセンサによって、種々の質の基準、例えば毛羽立ち、コップ形状、繊維材料等に関して、検査され、場合によって選り分けられる。ここで、該当する紡績コップを製造した、リング精紡機の紡績ユニットも求められる。
【０００９】
しかし、この種の付加的な測定、計数及び分類装置の使用は、場所を必要とし、相対的に、コストがかかる。従って、実際には、この種の付加的な測定、計数及び分類装置は定着できなかった。
【００１０】
動作に欠陥を有する紡績ユニットを識別する別の方法は、独国特許出願公開第３６０３００２号明細書（ＤＥ３６０３００２Ａ１）、スイス国特許発明第４１０７１８号明細書（ＣＨ４１０７１８Ａ）、独国特許出願公開第４００２５００号明細書（ＤＥ４００２５００Ａ１）及び／又は独国特許出願公開第４２０９２０３号明細書（ＤＥ４２０９２０３Ａ１）から公知である。
【００１１】
これら公知の方法では、一方では、紡績コップは、リング精紡機のどの紡績ユニットがこの紡績コップを作成したのかが常に追跡可能であるという特徴を有し、他方では、紡績コップの質が、巻き返しプロセスの間、自動綾巻きワインダの巻取りユニットの領域に設置されたセンサ機器によって監視される、という特徴を有している。
【００１２】
独国特許出願公開第３６０３００２号明細書（ＤＥ３６０３００２Ａ１）に記載された方法では、例えば、紡績機側で、完成された紡績コップに識別マークが固定され、この識別マークによって、この紡績コップを製造した紡績ユニットが識別される。巻取り機側では、巻取りユニットで、巻き返しプロセスの間、糸切断センサによって糸の質が求められる。すなわち、紡績コップの糸切断頻度が制御ユニット内に登録されている所定の値を超えた場合に、該当する、明らかに欠陥を有している紡績コップを製造した、リング精紡機の紡績ユニットに対する逆探知を行うことができる。
【００１３】
スイス国特許発明第４１０７１８号明細書（ＣＨ４１０７１８Ａ）にも、リング精紡機の紡績ユニットによって作成された紡績コップに、それぞれ情報が付けられる方法が記載されている。この情報から、紡績コップが後置接続された巻取り機に供給される前に、リング精紡機のどの紡績ユニットがこの紡績コップを製造したのかが明らかになる。
【００１４】
このような既知の方法でも、後置配置された自動綾巻きワインダの１つの巻取りユニットへの、紡績コップの巻き返しプロセス中に、紡績コップから引き出されるべき糸の自発的な切断が計数される。
【００１５】
所定の境界値を超えると、紡績コップは取り出され、読み取り機器に供給される。すなわち、この既知の方法でも、紡績コップの自発的な切断を数えることによって、リング精紡機の１つの紡績ユニットにおいて、粗野な、欠陥を有している糸が作成されていることが確認され、この紡績コップに付けられた情報によって、動作に欠陥を有する紡績ユニットが識別される。
【００１６】
独国特許出願公開第４００２５００号明細書（ＤＥ４００２５００Ａ１）は、紡績コップ又は紡績コップ担体にそれぞれ、消去可能及びプログラミング可能なメモリチップとして形成された出所マークが設けられており、このマークに、リング精紡機のどの紡績ユニットが、該当する紡績コップを製造したのかが記録されている方法を記載している。独国特許出願公開第４００２５００号明細書（ＤＥ４００２５００Ａ１）では、後置接続された自動綾巻きワインダの巻取りユニットはさらに、それぞれ、糸クリアラの形態の糸の質の監視機器及び自動マーク消去機器を備えている。これは、紡績コップの巻き返しプロセスの間に、所定の質の基準を下回ると、該当する紡績コップがすぐに、自動綾巻きワインダの巻取りユニットから排出され、その他の場合には通常のように、出所マークが消去されてしまうことがないことを意味している。
【００１７】
次に、自動綾巻きワインダの搬送システムの後続の箇所では、この出所マークに基づいて、リング精紡機のどの紡績ユニットが、排出された、欠陥を有する紡績コップを製造したのかが求められる。
【００１８】
リング精紡機の紡績ユニットの正常な動作を監視する比肩可能な方法又は装置は、独国特許出願公開第４２０９２０３号明細書（ＤＥ４２０９２０３Ａ１）からも公知である。
【００１９】
この文献でも、紡績コップにそれぞれ１つの書き込み可能な情報担体が対応付けされている紡績機／巻取り機の組み合わせが記載されている。この情報担体は、紡績コップを作成した、リング精紡機の紡績ユニットに関する情報を含んでいる。自動綾巻きワインダの１つの巻取りユニットにおける紡績コップの繰り出しプロセスから、該当する紡績コップが作成された紡績ユニットの動作状態が推測可能である。
【００２０】
自動綾巻きワインダの巻取りユニットは、ここで、それぞれ、巻き返しプロセスの間、紡績コップの走行している糸を監視する電子糸クリアラ、及び、巻取りユニットと紡績コップの情報担体との間で情報交換する機器とを備えている。
【００２１】
さらに、中央のメモリが設けられている。これは、長時間メモリとして構成されており、表示機器を備えているメモリ管理及び評価機器と接続されている。
【００２２】
しかし、上述した、公知の方法又は装置の欠点は、これによって、既に長い期間にわたって使用不可能な糸を製造している、リング精紡機の紡績ユニットしか識別されない、ということである。
【００２３】
自動綾巻きワインダと関連して、さらに、このような繊維機械の巻取りユニットにそれぞれ糸張力センサを設けることが知られている。このセンサは、紡績コップ／綾巻きパッケージの巻き返しプロセス中に、常に、走行している糸の現在の糸張力を検出し、所定の糸張力で綾巻きパッケージが、巻いて作成されるようにする。
【００２４】
糸張力センサはここで、いわゆる糸テンショナと接続されている。さらに、糸張力センサによって、必要な場合には、過度に糸張力が高い場合に、該当する巻取りユニットで、巻取り速度が修正される。
【００２５】
従って、このような糸張力センサを使用することによって、巻き返しプロセスの間に所定の巻取り条件が保たれ、作成された綾巻きパッケージは、自身の巻き張力に関して、高い質の要求に適合する。
【先行技術文献】
【特許文献】
【００２６】
【特許文献１】独国特許出願公開第３７１２６５４号明細書
【特許文献２】独国特許出願公開第３６０３００２号明細書
【特許文献３】スイス国特許発明第４１０７１８号明細書
【特許文献４】独国特許出願公開第４００２５００号明細書
【特許文献５】独国特許出願公開第４２０９２０３号明細書
【発明の概要】
【発明が解決しようとする課題】
【００２７】
上述した従来技術から出発して、本発明の課題は、容易かつ低コストに、紡績コップの製造中に、リング精紡機の多数の紡績ユニットの正常な動作を監視することを可能にする方法を開発することである。
【課題を解決するための手段】
【００２８】
上述の課題は、本発明に対応して、巻き返しプロセスの間、紡績コップの走行している糸が、糸張力センサとして形成されているセンサ機器によってスキャンされ、この糸張力センサによって求められた糸張力データが、処理のために、該当する巻取りユニットの巻取りユニット計算機に転送され、ここで、所定の境界値を上回っており、紡績コップが固く巻かれていることを示唆している糸張力データが、問題を有していると解釈され、その場合、この糸張力データが、該当する紡績コップを製造した、リング精紡機の紡績ユニットに対応付けされることによって解決される。
【００２９】
本発明の有利な実施形態は、従属請求項に記載されている。
【００３０】
糸クリアラによって求められた糸データによって、事後にのみ、リング精紡機の紡績ユニットに存在する欠陥状態、すなわち、使用不可能な紡績コップの製造が発見される従来技術とは異なり、このような方法によって、展開に問題のある紡績ユニットの早期の識別が可能であるという利点を、本発明に係る方法は、特に有している。
【００３１】
糸張力センサによって求められた糸張力データに基づいて、例えば、比較的早期に、リング精紡機の紡績ユニットに不都合な展開が生じていることが識別される。すなわち、例えば、１つの紡績ユニットのリングトラベラが、リングトラベラの近々の交換を促す摩耗状態を有している。
【００３２】
全体的に、糸張力センサの糸張力データに基づいて、紡績ユニットの動作の質が徐々に悪くなろうとしているところであるということ、及び、この紡績ユニットにおいて、操作員の介入が有利であろうということが早期に識別可能である。
【００３３】
有利な実施形態ではここで、紡績コップの糸張力データから、それぞれ、該当する紡績コップが製造された、リング精紡機の紡績ユニットの状態が推測される。
【００３４】
これは次のことを意味する。すなわち、紡績コップの巻き返しプロセスの間に、相対的に高い糸張力が発生した場合、これが、該当する紡績コップが製造された、リング精紡機の紡績ユニットがもはや完全に正常には動作していないということ、又は、紡績ユニットが、欠陥を有する紡績コップを製造しようとするところであるということの兆候として評価されることを意味する。
【００３５】
過度に高い糸張力が存在することは、ここで、特に、該当する紡績ユニットが、例えば、長い動作持続時間が原因で、既にほぼ摩耗しているリングトラベラと動作しており、有利には、新たなリングトラベラと交換されるべきである、ということに関する示唆として有効である。
【００３６】
本発明に係る方法を実施する装置には、有利には、紡績コップと、この紡績コップを製造した、リング精紡機の紡績ユニットとの対応付けが常に可能である、紡績コップの特徴付けを可能にする機器が設けられている。
【００３７】
後置接続された自動綾巻きワインダの巻取りユニットには、さらに、複数のセンサ機器が配置されている。これらのセンサ機器はそれぞれ、後続の巻き返しプロセスの間、紡績コップの糸を監視する。
【００３８】
これらのセンサ機器は糸張力センサとして形成されており、それぞれ、該当する巻取りユニットの巻取りユニット計算機に接続されている。巻取りユニット計算機は、さらに、紡績コップの特徴付けに基づいて、リング精紡機のどの紡績ユニットが、該当する紡績コップを製造したのかを検出する機器と接続されている。
【００３９】
このような装置によって、巻き返しプロセスの間の紡績コップの確実な監視が保証されるだけでなく、リング精紡機の紡績ユニットの状態を常にコントロールすることも可能になる。
【００４０】
上述した装置によって、例えば、紡績ユニットに生じている変化を、比較的早期に識別することができる。
【００４１】
例えば、自身の摩耗状態が交換を促すリングトラベラが、糸張力センサによって求められた糸張力データに基づいて、早期に求められる。すなわち、本発明に係る装置によって、紡績ユニットの動作の質が徐々に悪くなろうとしているところであり、この紡績ユニットにおけるリングトラベラの交換が有利であろうということを、早期に識別することができる。
【００４２】
別の有利な実施形態では、巻取りユニット計算機は、自動綾巻きワインダの中央制御ユニットに接続されている。この中央制御ユニットは、それ自体、リング精紡機の中央制御機器と接続されている。リング精紡機のこの中央制御機器は、ここで、表示機器を備えており、例えば、リングトラベラの近々の交換を促す摩耗状態をリングトラベラが有していることが原因で、自身の正常な動作状態を喪失しようとするところである紡績ユニットがこの表示機器に表示される。
【００４３】
本発明を以降で、図示されている実施例に基づいて詳細に説明する。
【図面の簡単な説明】
【００４４】
【図１】紡績コップを作成するリング精紡機と、後置接続されている、綾巻きパッケージへ紡績コップを巻き返す自動綾巻きワインダとの結合体の概略図。
【図２】紡績リング上で回転するリングトラベラを有している、リング精紡機の紡績ユニットの概略的な前面図。
【図３】紡績コップから引き出されている糸を巻き返しプロセスの間、監視する糸張力センサを有する自動綾巻きワインダの巻取りユニットの概略的な側面図。
【図４】巻取りユニット計算機に接続されており、巻き返しプロセスの間、綾巻きパッケージに巻き上げられる糸の糸張力を監視する糸張力センサを有する自動綾巻きワインダの巻取りユニットの前面図。
【発明を実施するための形態】
【００４５】
図１は、本発明に係る方法又は本発明に係る装置が使用されている繊維機械結合体の実施例の概略的な斜視図を示している。
【００４６】
すなわち、リング精紡機１の紡績ユニット８では、相対的に少ない糸材料を含んでいる紡績コップ１３が製造される。製造された紡績コップ１３は、次に、自動綾巻きワインダ２の巻取りユニット１６に搬送される。ここでの紡績コップは、ボリュームの大きい綾巻きパッケージ４８に巻き返される。紡績コップ１３から引き出された糸５６はここで、巻き返しプロセスの間、特に、糸張力センサ６７によってスキャンされる。ここで求められた糸張力データは、該当する紡績コップ１３を製造した紡績ユニット８の動作状態に関する示唆を供給する。
【００４７】
見て分かるように、リング精紡機１は、終端部分ＡとＢとの間で、多数の、構造が同じ紡績ユニット８を備えており、これらの紡績ユニット８で紡績コップ１３が製造される。紡績ユニット８は、リング精紡機１の２つの機械長辺側に互いに並んで隣接配置されている。
【００４８】
リング精紡機１は、さらに、搬送機器３を備えている。これは、いわゆる中継器６を介して、自動綾巻きワインダ２の搬送システム７に接続されている。
【００４９】
この実施例では、リング精紡機１の搬送機器３は、例えば、リング精紡機１の多数の紡績ユニット８の周りに巡らされている、通常は直立している駆動ベルト９を備えている。この駆動ベルトは、（図示されていない）紡績機側の搬送皿を送る、対応する付加部を有している。
【００５０】
リング精紡機１の紡績ユニット８は、図１では、著しく概略化されて、そのうちの給糸ボビン３０、ドラフト装置２６及び紡績スピンドル２８だけが示されており、以降で、図２に基づいて詳細に説明される。
【００５１】
図１にさらに示されているように、リング精紡機１の搬送機器３は、通常、機械長辺側の領域に、さらに、それぞれ、長い搬送区間、いわゆるＣｏｗｅｍａｔ区間１０乃至１１を有している。ここで、これらのＣｏｗｅｍａｔ区間１０乃至１１は、機械終端側で、いわゆるＣｏｗｅｍａｔ接続区間１２を介して相互に結合されている。
【００５２】
Ｃｏｗｅｍａｔ接続区間１２とは反対の、機械終端側では、Ｃｏｗｅｍａｔ区間１０乃至１１が、搬送区間４乃至５を介して、中継器６と接続されている。
【００５３】
この実施形態では、リング精紡機１の紡績ユニット８によって製造され、紡績機側の搬送皿上に載せられている紡績コップ１３が、中継器６によって、巻取り機側の搬送皿１４上に載せ替えられる。ここで同時に、空管が、巻取り機側の搬送皿１４から取り出され、紡績機側の搬送皿に戻される。
【００５４】
紡績コップ１３が載せられている各搬送皿１４は、次に、自動綾巻きワインダ２の搬送システム７に転送され、また、空管が載せられている、紡績機側の搬送皿は、リング精紡機１の搬送機器３へ戻される。
【００５５】
しかし、ここで、完全にするために、繊維機械結合体であるリング精紡機／自動綾巻きワインダと関連して、当然ながら、繊維機械の搬送システム３、７を、中継器６を間に接続することなく、直接的に接続することも可能である、ということが明確に述べられなければならない。
【００５６】
このような場合には、紡績コップ１３は、リング精紡機の搬送システムから自動綾巻きワインダの搬送システムへの自身の移行時に、自身の元来の搬送皿の上に留まる。
【００５７】
さらに明らかであるように、図１では、自動綾巻きワインダ２も極めて概略的に示されている。すなわち、自動綾巻きワインダの図は、実質的に、エネルギー及び操作ユニット１５、巻取りユニット１６、並びに、巻取り機側の搬送システム７に対する位置表示に制限されている。
【００５８】
巻取りユニット１６の厳密な実施形態及びその種々の機器の機能は、後に、図３に基づいて詳細に説明される。
【００５９】
自動綾巻きワインダ２の巻取りユニット１６に紡績コップ１３を供給するために、又は、巻取りユニットから空管を取り出すために用いられる自動綾巻きワインダ２の搬送システム７は、同様に、多数の異なった区間部分を有している。
【００６０】
搬送区間４を介して配送された、紡績コップ１３が載せられた搬送皿１４は例えば、機械長さにわたって延在するコップ供給区間１８介して、それぞれコップ準備ステーション２０が位置付けされている、１つ又は複数の準備区間１９の領域に送られる。
【００６１】
準備区間１９はさらに、それぞれ、出口区間２１を介して、いわゆる貯蔵部区間２２と接続されている。この貯蔵部区間は、交互に、左側への走行と右側への走行とで切り換えられる。貯蔵部区間２２を介して、搬送皿１４上に鉛直に立っている紡績コップ１３は、横方向搬送区間２３の入口領域に達する。これは、自動綾巻きワインダ２の個々の巻取りユニット１６へと続く。横方向搬送区間２３は、自身の、終端の側で、巻管戻し区間２４に接続されている。これは、さらなる接続区間を介して、中継器６と接続されている。
【００６２】
例えば、独国特許出願公開第１９６３６６６１号明細書（ＤＥ１９６３６６６１Ａ１）に詳細に記載されている、自動綾巻きワインダ２のこのような搬送システム７は、さらに、搬送システム７内の搬送皿１４の所定の送りを可能にする大規模なアクチュエータ装置及びセンサ装置を備えている。
【００６３】
この実施例では、紡績コップ１３又は搬送皿１４にはさらに、（図示されてない）情報担体が設けられており、この情報担体に基づいて、リング精紡機１のどの紡績ユニット８が、各紡績コップ１３を製造したのかを確認することができる。
【００６４】
紡績コップ１３は、図示の繊維機械結合体では、中継器６によって、紡績機側の搬送皿から巻取り機側の搬送皿１４に載せ替えられるので、この実施例では、情報担体が、例えば、糸管２９に固定されているのは有利である。
【００６５】
図１にさらに示されているように、例えば、搬送区間４の領域に、機器２５が配置されている。この機器は、紡績コップ１３と、この紡績コップ１３を製造した、リング精紡機１の紡績ユニット８との対応付けが常に可能である、紡績コップ１３の特徴付けを可能にする。
【００６６】
この機器２５は例えば、計数及び書き込み機器として形成されており、これは、例えば、搬送皿１４上に立っている紡績コップ１３の通過を記録する、例えばライトバリアの形態の、図示されていないセンサを備えている。紡績コップ１３は、ドッフィングされた順番と同じ順番でセンサを通過するので、計数の結果は、リング精紡機の紡績ユニットの各番号に相当する。
【００６７】
次に、接続された又は組み込まれた書き込み機器によって、該当する紡績コップ１３を作成した、リング精紡機の紡績ユニットの番号が、紡績コップ１３の糸管２９に配置されている情報担体、例えばメモリチップに伝送される。
【００６８】
自動綾巻きワインダ２の巻取りユニット１６の領域には、属する（図示されていない）読み取り機器が設置されている。この読み取り機器は、紡績コップ１３の情報担体内に登録されているリング紡績ユニットの番号を識別し、それぞれ、該当する巻取りユニット１６の巻取りユニット計算機５４に転送する。巻取りユニット計算機５４は、ここで、通常、自動綾巻きワインダ２の中央計算ユニット５５に接続されている。
【００６９】
しかし、繊維機械１、２の搬送システム３、７が、上述したように、中継器６を介して接続されておらず、その代わりに、共通の搬送システムを有している場合には、有利には電子メモリチップとして形成されている情報担体を直接的に搬送皿１４内に組み込むことも有利であり得る。
【００７０】
図２には、隣接する、間隔ｔを空けて配置されている２つの紡績ユニット８を備えているリング精紡機１の機械長辺側の一部が概略的に示されている。
【００７１】
明らかであるように、各紡績ユニット８はそれぞれ、ドラフト装置２６、及び、駆動可能な、スピンドル軸２７を中心に回転可能に支承されている紡績スピンドル２８を有している。紡績スピンドルのスピンドルシャフト上には、紡績コップ１３の糸管２９が固定可能である。紡績動作中、例えば、（図２に図示されていない）フライヤボビンとして形成されている給糸ボビン３０から生じた粗糸３１が、ドラフト装置２６において、所望の糸強度にドラフトされる。
【００７２】
すなわち、ドラフト装置２６において牽伸され、出口側ローラ対３３、３４の領域において、ドラフト装置２６から出る粗糸３１は、繊維複合体として、回転する紡績スピンドル２８に供給され、ここで繊維複合体が回転させられる。次に、ここで生じた糸３５が、紡績コップ１３として、糸管２９に巻き付けられる。
【００７３】
ここでは、ドラフト装置２６と紡績コップ１３との間で、糸３５が、糸ガイド３６と、バルーン制限リング３７と、紡績リング３８上で回転可能に支承されている、紡績動作中に、糸３５によって牽引される、回転するリングトラベラ３９とを通って案内される。
【００７４】
明らかであるように、駆動可能な紡績スピンドル２８は、自身のスピンドルハウジング４０とともに、スピンドルレール４１に固定される。スピンドルレールは、リング精紡機１の長手方向において延在し、それ自体、固定的に、リング精紡機１の機械フレームに固定されている。
【００７５】
紡績スピンドル２８は、アンダワインディング領域４２及びワーブ４３を有しており、これらを介して、紡績スピンドル２８は、紡績動作中に、機械長さにわたって延在する、回転する、駆動されるタンジェンシャルベルト４４によって加速され、ここで回転させられる。
【００７６】
その上でリングトラベラ３９が回転する紡績リング３８は、軸受け装置によって、リングレール４５内に設置されている。これは、上述したバルーン制限リング３７に対するレール４６又は糸ガイド３６に対するレール４７のように、矢印によって示されているように、紡績動作中に垂直に移動可能である。
【００７７】
図３は概略的に、側面図で、自動綾巻きワインダ２の巻取りユニット１６を示している。このような巻取りユニット１６上には、比較的少ない糸を有している、リング精紡機１の紡績ユニット８上で事前に作成された紡績コップ１３が、ボリュームの大きい綾巻きパッケージ４８に巻き返される。綾巻きパッケージは、自身の完成後に、図示されていないサービス機器を用いて、機械長さにわたって延在する綾巻きパッケージ搬送機器４９に移行され、機械終端側に配置されているパッケージ移載ステーション等に搬送される。
【００７８】
巻取りユニット１６に新たな紡績コップ１３を供給するために、又は、繰り出された空管を巻取りユニットから取り出すために、このような自動綾巻きワインダ２は、さらに、上述したように、搬送システム７を備えている。この搬送システムでは、搬送皿１４上で、紡績コップ１３又は空管が循環している。
【００７９】
このような搬送システム７のうち、図３には、コップ供給区間１８、可逆式に駆動可能な貯蔵部区間２２、巻取りユニット１６へとつながる横方向搬送区間２３及び巻管戻し区間２４のみが示されている。
【００８０】
このような自動綾巻きワインダ２の紡績ユニット１６は、通常、それぞれさらに、巻き返しプロセス中に、このような巻取りユニット１６の正常な動作を可能にする種々の機器を備えている。
【００８１】
このような機器のうちの１つは、例えば、参照番号５０が付けられた巻取り機器であり、これは、旋回軸５１を中心に可動に支承されたパッケージフレーム５２を有している。これは有利には（図示されていない）トルク発生器によって、所定のように上昇又は下降可能である。
【００８２】
通常の巻取りプロセスの間、綾巻きパッケージ４８は、図示のように、自身の表面で、パッケージ駆動ローラ５３上に位置し、このパッケージ駆動ローラによって、摩擦接触によって回転させられる。パッケージ駆動ローラ５３は、例えば、電動機の形式の個別駆動部に接続されている。この個別駆動部は、制御線路を介して、巻取りユニット計算機５４と接続されている。
【００８３】
綾巻きパッケージ４８に巻き上げられる糸５６の巻取りプロセスの間の綾振のために、糸トラバース機器５７が設けられている。このような、図３において概略的にのみ示されており、例えば独国特許出願公開第１０２００４０５２５６４号明細書（ＤＥ１０２００４０５２５６４Ａ１）に比較的詳細に記載されている糸トラバース機器５７は、フィンガ糸ガイド５８を有している。これは、電動機式駆動部５９によって動かされ、綾巻きパッケージ４８の２つの端面の間で糸５６を往復運動させる。
【００８４】
各巻取りユニット１６は、さらに、負圧を加えることが可能な、旋回可能に支承された、いわゆる上糸を操作する吸引ノズル６０と、同様に負圧を加えることが可能な、旋回可能に支承された、下糸を操作するためのグリッパ管６１と、空気式の糸継ぎ機器６２とを備えている。これによって、必要な場合に、上糸の糸端部と下糸の糸端部とを、ほぼ一本の糸のように接続することができる。
【００８５】
このような巻取りユニット１６には通常、さらに、しばしば、別の機器が設けられており、これらは例えば、下糸センサ６３、糸テンショナ６４、電子糸クリアラ６６、糸切断機器６５、パラフィン処理機器６８及び糸張力センサ６７である。これらの機器は、通常、制御及び信号線路を介して、巻取りユニット計算機５４に接続されている。
【００８６】
電子糸クリアラ６６によって、ここでは、常に、走行している糸５６の質の監視が行われる。すなわち、糸クリアラ６６は、継続的に、自身を通過する糸５６を検査し、ここで深刻な糸の欠陥を識別する。これは例えば、糸切断、二重糸又は細い箇所及び太い箇所である。
【００８７】
走行している糸５６は、巻き返しプロセスの間、さらに、しばしば、糸張力センサ６７によってスキャンされる。このような糸張力センサ６７は既知であり、例えば、独国特許出願公開第４１２９８０３号明細書（ＤＥ４１２９８０３Ａ１）又は独国特許出願公開第１０２０１１１１２０１２号明細書（ＤＥ１０２０１１１１２０１２Ａ１）において比較的詳細に記載されている。
【００８８】
次に、図４に基づいて、この種の、自動綾巻きワインダ２の巻取りユニット１６の領域に配置されている糸張力センサ６７の公知の動作方法が示され、説明される。
【００８９】
図４は、ここで、概略的に、前面図で、自動綾巻きワインダ２の巻取りユニット１６を示しており、これは、巻取りユニット計算機５４並びに糸テンショナ６４とのその接続部、糸張力センサ６７、糸切断機器６５及びアラーム機器６９を備えている。
【００９０】
図４に、著しく概略的に示されただけの糸テンショナ６４はそれ自体公知であり、例えば、独国特許出願公開第４１３０３０１号明細書（ＤＥ４１３０３０１Ａ１）に詳細に記載されている。
【００９１】
電気的に駆動制御可能な糸切断機器６５も、繊維機械構造において、長い間、従来技術である。
【００９２】
この実施例では、例えば、糸張力目標値発生器７０、糸張力境界値発生器７１、コンパレータ７２、調整器７３、及び、例えばコンパレータ７２内に組み込まれている時間素子７４を備えている巻取りユニット計算機５４は、信号線路７５を介して、糸張力センサ６７と接続されており、調整線路７６を介して糸テンショナ６４と接続されており、調整線路７７を介して糸切断機器６５と接続されており、かつ、信号線路７８を介してアラーム機器６９と接続されている。
【００９３】
図４にさらに示されているように、コンパレータ７２には、信号線路７９を介して、糸張力目標値発生器７０から糸張力目標値ＦＺＫＳｏｌｌが供給され、信号線路８０を介して境界値発生器７１から境界値ＴＧが供給される。
【００９４】
境界値発生器７１を介して、ここで、有利には、コンパレータ７２が調整器７３を介して、糸切断機器６５及びアラーム機器６９をトリガする前に経過すべきである、許容誤差の期間ＺＳも調整可能である。
【００９５】
ここで、このように接続されている糸張力センサ６７が設けられている自動綾巻きワインダ２の巻取りユニット１６では、巻き返しプロセスの間に通常、以下のプロセスが経過する。
【００９６】
紡績コップ１３から繰り出された糸５６は、できるだけ一定の糸張力によって、綾巻きパッケージ４８に巻き取られるべきである。
【００９７】
このような理由から、全体的な巻取りプロセス中に、糸張力が、オンラインで、糸張力センサ６７によって監視される。
【００９８】
糸張力センサ６７によってそれぞれ求められた糸張力実際値ＦＺＫｉｓｔは、コンパレータ７２内で、糸張力目標値発生器７０によって設定された糸張力目標値ＦＺＫＳｏｌｌと比較される。
【００９９】
出口側で、コンパレータ７２は、調整器７３と接続されている。この調整器７３によって、糸テンショナ６４の制動ディスクは、常に、接触圧をもって、走行している糸５６に押し当てられ、これによって、糸５６が常に一定の糸張力を有することが保証される。
【０１００】
求められた糸張力実際値ＦＺＫｉｓｔは、コンパレータ７２内で、さらに、境界値発生器７１によって設定された境界値ＴＧと比較される。
【０１０１】
コンパレータ７２が、自身の比較時に、糸張力実際値ＦＺＫｉｓｔが、所定の期間ＺＳ、境界値ＴＧに達した又はこの境界値ＴＧを超えたことを確認すると、糸張力センサ６７によって求められた糸張力実際値、すなわち、糸張力センサ６７によって求められた糸張力データが、自動綾巻きワインダ２の巻取りユニット１６の巻取りユニット計算機５４において、次のように処理される。すなわち、この糸張力データから、この紡績コップ１３を製造した、リング精紡機１の紡績ユニット８の状態が推測されるように処理される。
【０１０２】
すなわち、紡績コップ１３の巻き返しプロセスの間、通常、紡績コップ１３の巻きが少し固すぎることに帰する、糸張力の著しい上昇が予期せずに生じた場合には、このことは迅速に、該当する紡績コップ１３を製造した、リング精紡機１の紡績ユニット８が、自身の正常な動作状態を喪失しようとするところである、ということの兆候として評価される。
【０１０３】
固く巻かれた紡績コップ１３は特に、該当する紡績コップ１３を製造した紡績ユニット８のリングトラベラ３９が、この紡績ユニット８が近い将来、使用不可能な紡績コップを製造する虞を生じさせる摩耗状態を有しており、有利には、古いリングトラベラ３９を新しいリングトラベラ３９と交換することが有利であるということの示唆として評価される。
【図１】
2017226949.tif 000003
【図２】
2017226949.tif 000004
【図３】
2017226949.tif 000005
【図４】
2017226949.tif 000006
【外国語明細書】
2017226949.tif 000007
2017226949.tif 000008
2017226949.tif 000009
2017226949.tif 000010
2017226949.tif 000011
2017226949.tif 000012
2017226949.tif 000013
2017226949.tif 000014
2017226949.tif 000015
2017226949.tif 000016
2017226949.tif 000017
2017226949.tif 000018
2017226949.tif 000019
2017226949.tif 000020
2017226949.tif 000021
2017226949.tif 000022
2017226949.tif 000023
2017226949.tif 000024
2017226949.tif 000025
2017226949.tif 000026
2017226949.tif 000027
2017226949.tif 000028
2017226949.tif 000029
2017226949.tif 000030
2017226949.tif 000031